(57)【特許請求の範囲】
【請求項１】
駅のプラットホーム上に設置されるホーム柵本体と、
前記ホーム柵本体の内部に設置され前記ホーム柵本体の端部から進退動作される扉体と、
前記ホーム柵本体の線路側面に突出して設けられる収納用筐体と、
を備え、
前記収納用筐体は、前記ホーム柵本体よりも小さく、
前記収納用筐体の内部には、前記プラットホームの端部における支障物の有無を検知するための支障物検知センサと、前記扉体の駆動制御を行う制御基板とが設けられていることを特徴とするホーム柵装置。
【請求項２】
前記収納用筐体の内部において、前記支障物検知センサと前記制御基板とが前記ホーム柵本体の線路側面に沿って並べられ、かつ、前記支障物検知センサは、前記収納用筐体の端部側に設置され、前記制御基板は、前記収納用筐体の中央側に設置されていることを特徴とする請求項１に記載のホーム柵装置。
【請求項３】
前記ホーム柵本体の内部には、表示装置が設置されていることを特徴とする請求項１または請求項２に記載のホーム柵装置。
【請求項４】
前記収納用筐体の内部には、電源が設置されていることを特徴とする請求項１から請求項３のいずれか一項に記載のホーム柵装置。
【発明の詳細な説明】
【技術分野】
【０００１】
本発明はホーム柵装置に係り、特に、ホーム柵本体の厚さ寸法を大きく形成することなく、ホーム柵本体の内部スペースを大きく確保することを可能としたホーム柵装置に関するものである。
【背景技術】
【０００２】
従来から、駅のプラットホームにおいては、通過列車の風圧により乗客が線路側に転落する等の不測の事故を防止するために、ホーム柵本体に進退自在に設けられ、列車の乗降ドアと連動して開閉動作される扉体を備えたホーム柵装置が設置されている。
【０００３】
このような従来のホーム柵装置としては、例えば、戸袋の線路側の側壁および線路と反対側の側壁のうちのいずれか一方の側壁と戸袋内に後退した扉体との間に形成される空間部に、扉体の側面を片持ち支持して扉体を進退自在に案内するレール部材と、扉体を進退移動させる駆動装置と、駆動装置を制御する電気制御機器とを上下方向に並べて設けるようにした技術が開示されている（例えば、特許文献１参照）。
【先行技術文献】
【特許文献】
【０００４】
【特許文献１】特許第３８５０５４９号公報
【発明の概要】
【発明が解決しようとする課題】
【０００５】
しかしながら、前記特許文献１に記載の技術においては、ホーム柵本体の内部に、ホームドアの開閉駆動用の駆動機構やこれら駆動機構を制御するための制御回路も収容されている。そのため、ホーム柵本体の内部は、ほとんど空きスペースがない状態となっており、例えば、ホーム柵本体に案内表示などの表示装置を設置しようとすると、ホーム柵本体の厚さ寸法を大きく形成して内部スペースを確保する必要がある。
【０００６】
一般に、プラットホームにホーム柵本体を設置する場合、車両限界から一定の距離を離して設置する建築限界が定められている。また、ホーム柵本体の線路側には、ホーム柵本体の線路側のスペースにおける支障物の有無を検知するための支障物検知センサが配置されるものであるが、これも特別建築限界を確保するように定められている。そのため、ホーム柵本体の設置場所は、ある程度決まってしまうため、ホーム柵本体の厚さ寸法を大きく形成してしまうと、プラットホームの有効スペースが狭くなってしまうという問題を有している。
【０００７】
本発明は前記した点に鑑みてなされたものであり、ホーム柵本体の厚さ寸法を大きく形成することなく、ホーム柵本体の内部スペースを大きく確保することのできるホーム柵装置を提供することを目的とするものである。
【課題を解決するための手段】
【０００８】
本発明は前記目的を達成するために、請求項１の発明に係るホーム柵装置は、駅のプラットホーム上に設置されるホーム柵本体と、
前記ホーム柵本体の内部に設置され前記ホーム柵本体の端部から進退動作される扉体と、
前記ホーム柵本体の線路側面に突出して設けられる収納用筐体と、
を備え、
前記収納用筐体は、前記ホーム柵本体よりも小さく、
前記収納用筐体の内部には、前記プラットホームの端部における支障物の有無を検知するための支障物検知センサと、前記扉体の駆動制御を行う制御基板とが設けられていることを特徴とする。
【０００９】
請求項２に係る発明は、請求項１において、前記収納用筐体の内部において、前記支障物検知センサと前記制御基板とが前記ホーム柵本体の線路側面に沿って並べられ、かつ、前記支障物検知センサは、前記収納用筐体の端部側に設置され、前記制御基板は、前記収納用筐体の中央側に設置されていることを特徴とする。
【００１０】
請求項３に係る発明は、請求項１または請求項２において、前記ホーム柵本体の内部には、表示装置が設置されていることを特徴とする。
【００１１】
請求項４に係る発明は、請求項１から請求項３のいずれか一項において、前記収納用筐体の内部には、電源が設置されていることを特徴とする。
【発明の効果】
【００１２】
請求項１に係る発明によれば、ホーム柵本体に収納用筐体を設けているので、ホーム柵本体の内部に大きなスペースを確保することができ、ホーム柵本体の内部に他の装置を設置することが可能となる。その結果、ホーム柵本体の厚さ寸法を大きく形成する必要がないので、プラットホームの有効スペースを犠牲にすることがない。また、収納用筐体の内部にプラットホームの端部における支障物の有無を検知するための支障物検知センサを設けるようにしているので、支障物検知センサにより、ホーム柵本体の線路側における支障物の有無を確実に検知することができる。
【００１４】
請求項３に係る発明によれば、ホーム柵本体の内部に大きなスペースを確保することができ、ホーム柵本体に表示装置を設置することが可能となる。その結果、ホーム柵本体の厚さ寸法を大きく形成する必要がないので、プラットホームの有効スペースを犠牲にすることなく、ホーム柵本体に表示機能を持たせることができる。
【００１５】
請求項４に係る発明によれば、収納用筐体の内部に電源を設置するようにしているので、ホーム柵本体の内部スペースをより大きく確保することができ、ホーム柵本体の内部に他の装置を設置することが可能となる。
【図面の簡単な説明】
【００１６】
【図１】本発明に係るホーム柵装置の実施形態を示す概略正面図である。
【図２】本発明に係るホーム柵装置の実施形態を示す概略平面図である。
【図３】本発明に係るホーム柵装置の実施形態を示す概略側面図である。
【発明を実施するための形態】
【００１７】
以下、本発明の実施の形態について図面を参照しながら説明する。
【００１８】
図１から図３は、本発明に係るホーム柵装置の実施形態を示したものである。ホーム柵装置１は、列車２に乗客が乗降するためのプラットホーム３の床面の線路側に設けられるものであり、ホーム柵装置１は、プラットホーム３に沿うように形成された箱型のホーム柵本体４と、列車２がプラットホーム３の定位置に停車したときに、列車２の乗降ドアと連動してホーム柵本体４の両側から開閉動作される扉体５，５とを備えている。また、ホーム柵本体４の線路側面は、プラットホーム３に停車する列車２の線路側端部から建築限界（図３参照）を満たす位置に設置されるように構成されている。
【００１９】
また、ホーム柵本体４の線路側面には、線路側に突出してなる収納用筐体６がホーム柵本体４と一体に設けられている。本実施形態においては、収納用筐体６の線路側面は、プラットホーム３に停車する列車２の特別建築限界（図３参照）を満たす厚さ寸法となるように形成されている。収納用筐体６の両側には、光センサなどからなる支障物検知センサ７が設けられている。
【００２０】
また、本実施形態においては、収納用筐体６の内部には、ホーム柵本体４の扉体５を駆動制御するための制御回路が搭載された制御基板９が収納されている。なお、その他、扉体５の開閉動作に必要な駆動モータや駆動機構（いずれも図示せず）以外の、例えば、電源（図示せず）などを収納用筐体６の内部に収納するようにしてもよく、これにより、ホーム柵本体４の内部スペースをより大きく確保することができる。
【００２１】
本実施形態においては、制御基板９を収納用筐体６の内部に収容するようにしたことにより、ホーム柵本体４の内部スペースに余裕ができることから、本実施形態においては、ホーム柵本体４の内部には、例えば、案内表示などを行うための表示装置１０が設けられている。
【００２２】
次に、本実施形態の作用について説明する。
【００２３】
本実施形態においては、列車２がプラットホーム３に停車し、制御基板９の制御回路により駆動機構を駆動させることにより、ホームドアが開閉動作されるものである。そして、表示装置１０には、所定の案内表示を表示させるものである。
【００２４】
この場合に、本実施形態においては、ホーム柵本体４が建築限界を満たした状態で設置されており、しかも、収納用筐体６が特別建築限界を満たした状態で設置されているので、十分に安全性を確保することが可能である。
【００２５】
以上述べたように、本実施形態においては、ホーム柵本体４に収納用筐体６を設け、この収納用筐体６の内部に、制御基板９を収容するようにしているので、ホーム柵本体４の内部に大きなスペースを確保することができ、ホーム柵本体４に表示装置１０などの他の装置を設置することができる。その結果、ホーム柵本体４の厚さ寸法を大きく形成する必要がないので、プラットホーム３の設置スペースを犠牲にすることなく、ホーム柵本体４に表示機能などを持たせることができる。
【００２６】
なお、本実施形態においては、ホーム柵本体４の内部スペースに表示装置１０を設置した場合について説明したが、その他、いずれの装置を設置するようにしてもよい。
【００２７】
また、本発明は上記実施形態に限定されるものではなく、本発明の趣旨に基づいて種々の変形が可能である。
【符号の説明】
【００２８】
１  ホーム柵装置
２  列車
３  プラットホーム
４  ホーム柵本体
５  扉体
６  収納用筐体
７  支障物検知センサ
９  制御基板
１０  表示装置
【図１】
0005800482.tif 000002
【図２】
0005800482.tif 000003
【図３】
0005800482.tif 000004